(57)【特許請求の範囲】
【請求項１】
基盤の上に設置される人工芝積層体であって、
設置対象の前記基盤の上に配置される織物と、
前記織物の上側に積層される透水性を有する人工芝と、
前記織物の内部に充填された状態で前記織物と前記人工芝とを接合し、前記人工芝積層体が前記基盤に設置された状態において前記基盤に接するシーリング部と、を備え、
前記織物は多重織またはハニカム織の織物であり、
前記シーリング部は、前記織物のタテ糸またはヨコ糸のどちらか一方に平行な方向に延びており、前記織物と前記人工芝を支持することを特徴とする人工芝積層体。
【請求項２】
前記シーリング部の延びる方向と平行の前記織物の糸のメッシュ数が、前記シーリング部の延びる方向と直交する方向の前記織物の糸のメッシュ数よりも小さいことを特徴とする請求項１に記載の人工芝積層体。
【請求項３】
前記織物を構成するタテ糸のメッシュ数が５メッシュ以上５０メッシュ以下、ヨコ糸のメッシュ数が３メッシュ以上３０メッシュ以下であることを特徴とする請求項１または２に記載の人工芝積層体。
【請求項４】
前記織物の厚さが、５００μｍ以上５０００μｍ以下であることを特徴とする請求項１から３のいずれか一つに記載の人工芝積層体。
【請求項５】
前記織物の材質が、ポリエチレンテレフタレート、ポリアミド、ポリプロピレン、ポリエステルのいずれかであることを特徴とする請求項１から４のいずれか一つに記載の人工芝積層体。
【請求項６】
前記織物を構成する糸径が３００μｍ以上２０００μｍ以下であることを特徴とする請求項１から５のいずれか一つに記載の人工芝積層体。
【請求項７】
前記シーリング部は、前記織物の上面と下面の少なくともいずれかから突出していることを特徴とする請求項１から６のいずれか一つに記載の人工芝積層体。
【発明の詳細な説明】
【技術分野】
【０００１】
本発明は、水捌け性の良い人工芝積層体に関する。
【背景技術】
【０００２】
近年、人間の運動場やグラウンド、あるいはペットの運動場、またベランダや屋上などに人工芝が導入されている。これらの人工芝を敷設するにあたっては、安定した下地が必要となり、多くの場合、人工芝の下地用路盤として安定性や平滑性に優れたアスファルト・コンクリート舗装が採用されている。
【０００３】
しかしながら、アスファルトの上に直接人工芝を敷設した場合、グラウンド面の硬さが利用者に大きな衝撃ダメージを与える場合がある。また屋上等のアスファルト舗装は透水性が低い場合がある。
【０００４】
一方で、アスファルト舗装をせず、砕石を敷き込んだ路面を人工芝の下地とする施工方法もあるが、この方法においては、経年とともに平滑性が失われ、また水溜りなどが生じ、排水性が低下する。
【０００５】
このため、排水性を備えた人工芝下地への要請が高まっている。
【０００６】
これらを解決する方法として、人工芝の下に、樹皮の細片と砕石とを混合した混合物を敷いた方法（特許文献１）や、既設コートのリニューアル方法として、樹脂製の細い紐状素材や、やしの実等の植物繊維などを圧縮加工して形成した繊維状の透水性緩衝材の上に人工芝を敷設する方法（特許文献２）が提案されている。
【先行技術文献】
【特許文献】
【０００７】
【特許文献１】特開２００９−２４４６０号公報
【特許文献２】特開２００１−３３６１１０号公報
【発明の開示】
【発明が解決しようとする課題】
【０００８】
しかしながら、人工芝の下に樹皮の細片や砕石を敷いた場合、雨等の水によって細片がながされてしまう。流れないように細片を大きくすると踏み心地が悪くなる。
【０００９】
また、繊維状の緩衝材を用いた場合、水捌け性を向上するには、空隙部を多くする必要があり、その場合、人工芝の上からの荷重によって空隙部は押し潰され、小さくなり、水捌け性は低下する。人工芝の上からの荷重に耐えられるようにするには、空隙部の少ない構造にする必要があるが、そうすると水捌け性が低下するという問題がある。
【００１０】
本発明は、上記の課題を解決するためになされたものであって、水捌け性の良い人工芝積層体を提供することを目的とする。
【課題を解決するための手段】
【００１１】
本発明の要旨は以下のとおりである。
【００１２】
（１）基盤の上に設置される人工芝積層体であって、
設置対象の前記基盤の上に配置される織物と、
前記織物の上側に積層される透水性を有する人工芝と、
前記織物の内部に充填された状態で前記織物と前記人工芝とを接合し、前記人工芝積層体が前記基盤に設置された状態において前記基盤に接するシーリング部と、を備え、
前記織物は多重織またはハニカム織の織物であり、
前記シーリング部は、前記織物のタテ糸またはヨコ糸のどちらか一方に平行な方向に延びており、前記織物と前記人工芝を支持することを特徴とする人工芝積層体。
【００１３】
（２）前記シーリング部の延びる方向と平行の前記織物の糸のメッシュ数が、前記シーリング部の延びる方向と直交する方向の前記織物の糸のメッシュ数よりも小さいことを特徴とする（１）に記載の人工芝積層体。
【００１４】
（３）前記織物を構成するタテ糸のメッシュ数が５メッシュ以上５０メッシュ以下、ヨコ糸のメッシュ数が３メッシュ以上３０メッシュ以下であることを特徴とする（１）または（２）に記載の人工芝積層体。
【００１５】
（４）前記織物の厚さが、５００μｍ以上５０００μｍ以下であることを特徴とする（１）から（３）のいずれか一つに記載の人工芝積層体。
【００１６】
（５）前記織物の材質が、ポリエチレンテレフタレート、ポリアミド、ポリプロピレン、ポリエステルのいずれかであることを特徴とする（１）から（４）のいずれか一つに記載の人工芝積層体。
【００１７】
（６）前記織物を構成する糸径が３００μｍ以上２０００μｍ以下であることを特徴とする（１）から（５）のいずれか一つに記載の人工芝積層体。
【００１８】
（７）前記シーリング部は、前記織物の上面と下面の少なくともいずれかから突出していることを特徴とする（１）から（６）のいずれか一つに記載の人工芝積層体。
【発明の効果】
【００１９】
本発明によれば、水捌け性の良い人工芝積層体を提供することができる。
【図面の簡単な説明】
【００２０】
【図１】人工芝積層体の構造を示す断面模式図である。
【図２】実施例の試験に用いた装置の分解斜視図である。
【図３】実施例の試験に用いた装置の各層を積層した状態の模式図である。
【発明を実施するための形態】
【００２１】
以下に、本発明の実施形態の１つについて、図１を用いて詳細に説明する。
【００２２】
本実施形態の人工芝積層体１は、図１に示すように、敷設対象である基盤１０の上に敷設される。本実施形態の人工芝積層体１は、たとえば、運動場や競技場やテニスコート、ペットの運動場、あるいは、ベランダ、屋上等に敷設される。人工芝積層体１は、人工芝２と、織物３と、シーリング部４とを備える。本実施形態の人工芝積層体１は、施工現場で敷設対象範囲の基盤１０の上に織物３と人工芝２とを積層してシーリング剤によって固定してシーリング部４を形成し、基盤１０に固定する現場施工型のものでもよいし、積層した状態の人工芝積層体１を敷設したい基盤１０の上に配置して用いる可搬型のものでもよい。
【００２３】
人工芝積層体１を敷設する基盤１０の形態は、特に限定されるものではないが、凹凸の少ない滑らかな面であるのが好ましい。基盤１０の材質は限定されないが、例えば全天候型ハードコートやアスファルト面やコンクリート面などである。さらに、基盤１０は、人工芝を敷設する範囲あるいは周辺に排水口（又は排水溝）を備え、排水口に向かって水が流れる程度に傾斜のある面であることが好ましい。建物の屋上やベランダなどは、雨水を排水しやすいよう排水口に向かって傾斜があり、本実施形態の人工芝積層体１を敷設するのには好ましい。
【００２４】
なお、排水口は上述のように人工芝積層体１を敷設する範囲内に配置されていてもよいし、敷設範囲の周辺の水が流れこむことが可能な位置に配置されていてもよい。また、穴として形成されてもよいし、水が流れる溝である排水溝として形成されてもよい。排水溝の場合も、人工芝積層体１の下あるいは敷設範囲周辺に形成されていればよい。また、人工芝積層体１の敷設範囲内や周囲における排水口（排水溝）の有無にかかわらず、敷設範囲の基盤１０に水が流れる程度の勾配があれば、本実施形態の人工芝積層体１を敷設するのに適している。
【００２５】
人工芝２は、上方から降り注ぐ雨などの水を人工芝２の下方へ透水するものであれば、構造や材質等は特に限定されるものではない。人工芝２は、たとえば、基布と基布に固定される芝材（パイル糸）等で構成される。基布は透水性を有する構造であれば得に限定されない。「透水性」は、基布を浸透して水が透水するものでも良いし、人工芝２に水を下方の織物３側に排水する孔などが形成されていることで透水性が確保されてもよい。基布は例えば、パンチング加工により多数の貫通孔が形成されているシート状のものや、繊維状、布状、メッシュ状で、織物、網物、不織布などから構成される繊維構造体などが挙げられる。芝材の基布への固定方法は特に限定されず、起毛加工、植毛加工、編み込み、織り込みなど、いずれの方法でもよく、またこれらの組合せでもよい。
【００２６】
織物３は、後述するシーリング部４とともに、人工芝を通過した水が人工芝の下で基盤１０の傾斜によって流れて、最終的に排水口に向かって流れて排水されるための水路を構成するためのものである。織物３はその水路を確保出来るものが好ましく、人工芝２から透過した水が基盤１０の上の織物３の内部を流れることができるような断面構造を有するものが良い。さらに、人工芝積層体１は人や動物が乗るものであり、上からの荷重に耐えられる構造、材質を有するものが好ましい。このような条件を満たす織物３として、立体的な構造を有し、断面において水が流れることができる空間が存在し、かつ、織物３の上から荷重がかかってもその空間が潰れにくい構造を有する織物が好ましく、具体的には、多重織の織物、ハニカム織りの織物が良い。多重織やハニカム織に限ったことではないが織物は、ヨコ糸を張った状態（織物の厚み方向の変化はほとんど無い）でタテ糸をヨコ糸の上側、下側を通すものであり、通常タテ糸がヨコ糸よりも密になるため、タテ糸を疎にするよりも、ヨコ糸を疎にすることが水路を確保しやすくなる。また、製織の生産効率も良い。なお、本明細書においては、織物の織機において、予め張力をかけて多数本張っておく方の糸をヨコ糸とし、ヨコ糸の間を通す糸をタテ糸として説明する。
【００２７】
さらに、織物３は、基盤１０の上を水が流れやすくするために、水の流れ方向に対して平行な糸は、水の流れ方向に対して垂直方向の糸よりも、メッシュ数が小さいほうが好ましい。メッシュ数は、２５．４ｍｍ（１インチ）１辺の網目の数を示す。メッシュ数が小さいということは、メッシュ（織物）断面で見ると、糸が疎の状態であり、水が流れやすく（水路の断面積が大きく）なるということである。
【００２８】
なお、水の流れる方向は、主に人工芝積層体１が配置される基盤１０の傾斜によって決まる。たとえば、人工芝積層体１が長方形の範囲に敷設され、その長方形の一辺に沿って敷設範囲の外側に排水溝が形成され、排水溝が形成される辺に向かって水が流れることが可能な傾斜が形成されている場合には、水の流れる方向は主にその排水溝が形成される方向（基盤１０の傾斜方向）となる。また、排水口が１か所あるいは複数箇所形成され、その排水溝に向かって傾斜がつけられている場合には、位置によって傾斜の方向が異なり、水の流れる方向も異なる。
【００２９】
本実施形態の人工芝積層体１を配置する場合や施工する場合には、以上のような水の流れる方向を考慮して、水の流れる方向に、織物３のメッシュ数の小さい糸の方向を合わせて配置することで、水の流れやすい方向に沿って水路が形成され、より水捌けが良好となる。
【００３０】
織物３を構成する糸のメッシュ数（１インチ当たりの網目の数）としては、多重織及びハニカム織の場合、タテ糸を５メッシュ以上５０メッシュ以下、ヨコ糸を３メッシュ以上３０メッシュ以下とすることが好ましい。織物３においてタテ糸とヨコ糸で疎密を作る場合には、上記範囲において、タテとヨコでメッシュ数を変えて、メッシュ数の少ない方の糸の方向に沿って水が流れるように織物３が配置されればよい。
【００３１】
メッシュ数が好ましい範囲内の場合、当該範囲の最小値以上であれば、人工芝の上からの荷重に対して、より確実に耐えることができ、織物が潰れて水路が潰されてしまうことをより確実に防ぐことができる。当該範囲の最大値以下であれば、糸が密になりすぎてしまうことを抑制でき、十分に水路の断面積を確保することができる。したがって、当該範囲内であれば、人工芝の上からの荷重に、より確実に耐えることができ、かつ、水路をより確実に確保できる。そのため、水が流れやすくなり、より良好な水捌け性能が得られる。
【００３２】
織物３は、より水を流れやすくするために、厚さが５００μｍ以上５０００μｍ以下であることが好ましい。厚さが当該範囲内であると、水路を確実に確保でき、より良好な水捌け性能が得られる。５０００μｍを超えると、上からの荷重に耐えることが難しい場合があり、上からの荷重に耐え厚みを維持するために、糸径を大きくするか、メッシュ数を大きくする必要が生じる可能性がある。
【００３３】
織物３の材質は、紡糸・製織し易く、上からの耐荷重性が高く、施工・製造がしやすい材質が好ましい。また、後述するシーリング部４のシーリング剤との密着性が高く、織物の開口部（糸と糸の隙間）をシーリング剤が通りやすい材質のものが好ましい。具体的には、織物３の材質はポリエチレンテレフタレート、ポリアミド、ポリプロピレン、ポリエステルがよい。
【００３４】
織物３を構成する糸の糸径は、３００μｍ以上、２０００μｍ以下であることが好ましい。３００μｍ以上であれば十分に荷重に耐えることができ、メッシュ数を必要以上に大きくする必要がない。メッシュ数が必要以上に大きくなると水捌け性が低下する。また、２０００μｍ以下であると、水路を確保するためにメッシュ数を必要以上に小さくする必要がない。メッシュ数が小さくなりすぎると、織物としての耐荷重性が低下して織物が潰れてしまい、水捌け性が低下する場合がある。したがって、織物３の糸径が３００μｍ以上２０００μｍ以下であれば、上方からの荷重に対してより確実に耐えることができるとともに、水路を確保するためにより適正なメッシュ数を設定でき、良好な水捌け性が得られる。
【００３５】
シーリング部４は、織物３の内部にシーリング剤を充填して形成される。シーリング部４は、織物３の開口部（糸と糸の隙間）を通って内部に充填された状態で硬化（固化）することで、人工芝２と織物３とが固定される。さらに、織物３をシーリング剤が通って基盤１０に接し、その状態で固まることで、人工芝積層体１を基盤１０に固定することができる。シーリング部４を構成するシーリング剤は、織物３を通じて、人工芝２（と基盤１０と）を固定可能であれば、特に限定されるものではなく、耐水性があるのが好ましい。シーリング部４に用いられるシーリング剤としては、例えば、ウレタン系、シリコン系のシーリング剤を挙げることができる。
【００３６】
さらに本実施形態におけるシーリング部４は、織物３とともに、人工芝２を通ってきた水を排水するために水路を構成するためのものである。すなわち、水が流れる方向に沿って織物３の内部に充填された状態で形成されるシーリング部４が、織物３を内部で支持し、人工芝２を下から支持することで、水が流れる空間である水路が確保される。人工芝積層体１の上面から荷重がかかっても、シーリング部４によって支持されるため、水路として機能する空間が維持される。また、シーリング部４によって水が流れやすい方向に水がガイドされる。このようなシーリング部４の機能により、良好な水捌け性が得られる。
【００３７】
シーリング部４は、シーリング剤が織物３のタテ糸、またはヨコ糸のどちらか一方の糸に平行に塗布されて形成される。シーリング部４は、上記いずれか一方の糸に平行に、複数ライン形成されればよい。そして、シーリング部４が形成される方向を、基盤１０上の水が流れる方向に沿うように、人工芝積層体１が基盤１０に配置されればよい。例えば、長方形の敷設面の一辺付近に排水溝が形成され、その排水溝に向けて基盤１０が傾斜している場合には、その排水溝の方向にシーリング部４が延びるように配置する、あるいは施工によりシーリング部４を形成する。シーリング部４の延びる方向は、人工芝積層体１が無い状態で水が流れる方向（基盤１０の傾斜している方向）に完全に平行である必要はないが、基盤１０の傾斜方向や排水口の位置等の関係に基づく、水を流したい（水が流れやすい）方向側に向いていることが水捌け性の面で好ましい。
【００３８】
シーリング部４が延びる方向に平行な糸は、上述のように、その方向に水捌けがよくなるように、その方向に直交する糸よりも疎であることが好ましい。たとえば、タテ糸の方向に平行にシーリング部４を形成した場合には、タテ糸のメッシュ数の方がヨコ糸のメッシュ数よりも少ないことが好ましい。これにより、シーリング剤４によって水路としての空間が確保されるとともに、織物３内もその水路の方向に水が流れやすくなるので、より水捌けが良好となる。
【００３９】
シーリング部４の高さは、織物３の厚さ以上であることが好ましい。具体的には、織物３の上面と下面の少なくともいずれかからシーリング部４が突出する高さであることが好ましい。織物３の上面と下面の両方からそれぞれ突出する高さであることがより好ましい。織物３の厚さ以上の高さになるようにシーリング部４を形成するには、織物３の上面側や下面側からシーリング剤が飛び出るような量のシーリング剤を織物３に対して塗布・充填すればよい。織物３の内部は水を流すため、空隙部が存在するが、シーリング部４の内部は水が流れるような空隙部はなく、上からの耐荷重性が織物３よりも高くなる。そのため、シーリング部４の高さを織物３の厚さよりも高くすることで、荷重がかかっても水路となる空間がさらに確実に維持され、より水が流れやすくなる。上面と下面の両方からシーリング部４が突出する高さとすれば、より確実に空間が確保され、荷重がかかっても水路がより確実に維持される。
【００４０】
シーリング部４を複数ライン形成する場合の間隔は、２５ｃｍ以上から１００ｃｍ以下とすることが好ましい。２５ｃｍ以上であれば、水が流れる空間である水路が十分に確保され、１００ｃｍ以下であれば耐荷重性も十分に確保できる。２５ｃｍ未満の場合、シーリング部４間を水が流れにくくなる可能性があり、１００ｃｍを超えると、耐荷重性が低下し、水路が潰されて水が流れ難くなる場合がある。
【００４１】
本実施形態の人工芝積層体１の施工方法は、当業者が適宜選択することができ、特に限定されるものではない。例えば、基盤１０である舗装されたコンクリートなどの地盤に織物３を敷き、その上からシーリング部４を塗布する。水を流す（水が流れやすい）方向に沿ってタテ糸とヨコ糸のいずれかに平行にシーリング部４を形成するように塗布する。また、その際、タテ糸とヨコ糸で疎密がある織物３である場合には、水を流す方向に疎の糸の方向を合わせて織物３を配置し、シーリング部４を形成する。塗布したシーリング剤は織物３の開口部（糸と糸の隙間）を通り、基盤１０に到達する。シーリング部４の上端の位置が織物３の表面の位置よりも高くなるように、織物３の厚さよりもシーリング剤を厚く塗布しておけば、その織物３の上に人工芝２を敷くと、シーリング剤が硬化することで、織物３と人工芝２とが接着固定され、基盤１０に人工芝積層体１が固定される。すなわち、織物３の開口部（糸と糸の隙間）を通じてシーリング剤３が基盤１０に達して基盤１０に固定されるとともに人工芝２も織物３に固定される。なお、シーリング剤を織物３の厚さよりも厚く塗布しなくても、例えば上から荷重をかけて織物３内に充填されたシーリング剤と人工芝２とを接触させて固定してもよい。
【００４２】
持ち運び可能なマット状の人工芝積層体１の製造方法も同様である。すなわち、例えば、織物３に対してシーリング剤をタテ糸とヨコ糸のいずれかの方向に平行に塗布する。その際、織物３の下面と上面の少なくともいずれかからシーリング剤が飛び出る程度の量を塗布するとよい。その状態で織物３の上面に人工芝２を配置し、シーリング剤を硬化させることで、人工芝２と織物３が接着固定されシーリング部４が形成された人工芝積層体１が得られる。なお、シーリング剤が接着しにくい材質の物の上に織物３を置いて人工芝積層体１を作製し、その後シーリング剤が硬化した後に人工芝積層体１を剥がせば可搬型の人工芝積層体１が得られる。また、シーリング剤が接着しにくい材質のフィルムやシートの上で作製し、基盤１０に設置する前にフィルム等を剥がして用いてもよい。可搬型の場合には、基盤１０の上にそのまま載せるだけでもよいし、必要に応じて動かないように接着剤や固定器具等で基盤１０に固定してもよい。
【００４３】
シーリング剤の塗布方向（可搬型の場合は配置する際のシーリング部４の方向）は基盤１０の排水口に向かって水が流れる方向に塗布されていれば、人工芝２を通って水は排水口へ流れやすくなる。
【００４４】
本実施形態の人工芝積層体１は、多重織あるいはハニカム織りの織物を用いることで、シーリング剤のない部分についても、織物が上からの荷重を受け止めて水が流れる空間が確保される。これにより、水が流れる水路を確保できるため、水捌け性が維持される。一方、本実施形態の織物３の替わりに発泡体、成形体など開口部を持たないものを用いた場合では、例えば、発泡体や成形体の上面と下面にシーリング剤を塗布する必要が生じるため、塗布工程が２回必要になる。織物３を用いることで、開口部を通じて人工芝２（と基盤１０と）を一度で固定するため、シーリング剤の塗布工程が１回で済む。したがって、本実施形態によれば、簡単に施工できる非常に施工性に優れた人工芝積層体１を提供できる。また、発泡体や成形体は水が流れる隙間が無いため水捌け性も無い。
【００４５】
本実施形態の人工芝積層体１において、人工芝２や、織物３には任意の機能を付与するための成分を機能性材料として含んでもよい。当該機能性材料としては、艶消剤としての二酸化チタン、滑剤としてのステアリン酸カルシウムや、シリカやアルミナなどの微粒子、抗酸化剤としてヒンダートフェノール誘導体、さらには顔料などの着色剤、安定剤、分散剤等の添加材料の他、紫外線遮蔽剤、近赤外線遮蔽剤、抗菌剤、防黴剤、帯電防止剤、難燃剤、耐候剤および各種触媒などの機能性材料がある。なお、この機能性材料は、人工芝２や、織物３を構成する原材料の中に予め含まれるようにしてもよいし、人工芝２や織物３の製造後に外表面に付着させてもよい。
【００４６】
以上のようにして得られた本実施形態に係る人工芝積層体は、屋外、屋内問わず用いることができるが、雨に曝される屋外に特に有効である。用途としては、運動場、家などのベランダ、屋上、あるいはペット用の運動場、遊び場など、様々な用途に用いることが可能である。
【００４７】
本実施形態によれば、織物３のタテ糸とヨコ糸のいずれかに平行に形成されるシーリング部４と、多重織やハニカム織の織物とによって、人工芝２と基盤１０との間に、水が流れる水路が確保され、良好な水捌け性能が得られる。人工芝２の荷重がかかっても、シーリング部４によって支持され、水路が維持される。また、シーリング部４が無い部分についても、多重織やハニカム織によって完全に水路が潰れずに水路が維持されるので、確実に水捌け性が維持される。
【００４８】
また、織物３のシーリング部４が形成される方向に平行な一方の糸を、それに直交する他方の糸よりも疎にすることで、水路内の水が流れる空間がさらに広くなり、より迅速に水が排水され、さらに良好な水捌け性能が得られる。
【００４９】
なお、本実施形態では基盤１０の傾斜している方向や排水口の位置などによって決まる水の流れる方向にシーリング部４の延びる方向やタテ糸とヨコ糸のいずれか一方の方向を合わせるとしたが、特定の方向に水の流れをガイドしたい場合には、その特定の方向にシーリング部４やいずれか一方の糸の方向を合わせてもよい。
【実施例】
【００５０】
次に実施例を示して、本実施形態の人工芝積層体についてより詳細に説明するが、本発明の技術的範囲はこれらの実施例に限定されるものではない。
【００５１】
図２、図３に示すような装置を用いて人工芝積層体１の水捌け性について試験を行った。図２は試験に用いた装置の分解斜視図である。図３は人工芝積層体１を支持体５に載せた状態の模式図である。基盤１０として、アクリル板（４０ｃｍ×８０ｃｍ）を用いた。基盤１０の上に基盤１０と同じ大きさの織物３を設置し、シーリング剤によってシーリング部４を形成した。シーリング部４は織物の端から２０ｃｍ間隔で、高さ１０ｍｍで形成した。次に、基盤１０と同じ大きさの透水性を有する人工芝２（ポリプロピレン製、厚さ７ｍｍ）を積層し、人工芝積層体１を得た。支持体５に人工芝積層体１を載せて、支持体５の傾斜角度を変えることで基盤１０に傾斜を設けることができる。支持体５の一端には基盤１０の上を流れる水を受けるための受け材６が取り付けられている。受け材６によって集められた水の量を測ることで、基盤１０の上を流れる水の量を測定できる。
【００５２】
実施例の支持体５は断面形状がＬ字型の２本のフレームで構成される。支持体５の底面部で基盤１０を下方から支持し、垂直壁で人工芝積層体１の両側を挟むことで、人工芝積層体１を支持する。図２、図３では、長方形の人工芝積層体１の対向する辺のうち、長い方の両辺が支持体５に支持された形態を示す。受け材６は、上方が開放した細長い箱状のものであり、基盤１０の表面を流れる水がその開放している部分から流れ込んで貯留される。受け材６は、人工芝積層体１の支持体５が配置されていない辺のうち、傾斜によって水が流れる方向の一辺に沿って端から端までの範囲に配置され、流れ込んだ水を漏れなく集める。
【００５３】
（実施例１）
織物３に、ＰＥＴ（ポリエチレンテレフタレート）製の多重織の織物を用いた。タテ糸（図２の短手方向）の繊維径は５００μｍで、メッシュ数を４０メッシュとした。ヨコ糸（図２の長手方向）の繊維径は６００μｍでメッシュ数を１４メッシュとした。織物３の厚みは、厚さ計（（株）プロテック製、ＭＧ−４型）で測定した結果、５０００μｍであった。シーリング部４はヨコ糸方向に形成した。支持体５を長手方向において受け材６が配置された方向に傾けて傾斜角度を１度（１°）とし、人工芝積層体１と基盤１０の積層体に傾斜を設けた。傾斜を設けることで、図２の図面手前側の受け材６に水が流れる（水の流れはヨコ糸方向）ようにした。
【００５４】
（実施例２）
実施例２は、実施例１の織物３において、タテ糸のメッシュ数を減らし、ヨコ糸の繊維径を大きくしてメッシュ数を減らしたものである。具体的には実施例１において、タテ糸のメッシュ数を２０メッシュとし、ヨコ糸の繊維径を８００μｍでメッシュ数を１０メッシュとした以外は、実施例１と同様の構成とし、支持体５を長手方向に傾けて傾斜角度１度とし、人工芝積層体１と基盤１０の積層体に傾斜を設けた。
【００５５】
（実施例３）
実施例３は、実施例２において、支持体５と受け材６の配置位置及び、シーリング部４を形成する方向を９０°回転させたものである。具体的には、シーリング部４をタテ糸方向（図２の短手方向）に２０ｃｍ間隔で形成した。そして、支持体５を基盤１０の短手方向に沿って両側に設けて、受け材６の長さを基盤１０の長手方向に合わせたものに換えて長手方向に平行な一辺に配置した。支持体５を人工芝積層体１の短手方向において受け材６を配置した方向に傾けて傾斜角度を１度とし、人工芝積層体１と基盤１０の積層体に傾斜を設けた。この傾斜により水は短手方向（タテ糸方向）に流れるようにした。織物３は実施例２と同じであり、タテ糸とヨコ糸の配置方向も実施例２と同じである。
【００５６】
（実施例４）
実施例２の織物３において、ヨコ糸の繊維径を５００μｍでメッシュ数を２０メッシュとした以外は、実施例２と同様の構成とし、支持体５を長手方向に傾けて傾斜角度１度とし、人工芝積層体１と基盤１０の積層体に傾斜を設けた。
【００５７】
（比較例１）
実施例１において、織物３を含まない人工芝２とシーリング部４で構成される人工芝積層体１とした。つまり基盤１０の長手方向に実施例１と同様にシーリング剤を塗布してその上に人工芝を直接のせて、シーリング剤を硬化させることで、織物３が無い状態でシーリング部４の上に人工芝２が積層された人工芝積層体を作製した。実施例１と同じく、長手方向における受け材６が配置される側に水が流れるように、傾斜角度１度で傾斜させた。
【００５８】
実施例１から３と比較例１において傾斜を設けた高さの高い側において、人工芝の上に水を流した。このとき、人工芝の上を水が流れないようにゆっくりした速度で水を供給した。いずれの実施例、比較例についても、同じ流量で水の供給を開始し、人工芝表面に水が溢れて人工芝上を水が流れそうになったら水量を減らし、水が人工芝２と基盤１０の間を流れるようにして測定を行った。人工芝２と基盤１０の間の空間を通って流れてきた水は受け材６に集められ、集められた水の水量を測定した。結果を表１に示す。水量は受け材６に各時間までに貯留された水の総量である。
【００５９】
【表１】
0006588856.tif 000002
【００６０】
比較例１においては、水が受け材６まで流れてこなかった。織物３がないため人工芝２の自重により、水路が確保できず水が流れなかった。実施例１から３は水の流れてくる速度に差はあるものの、織物３により水路が確保されているため、水が受け材６まで流れることを確認した。
【符号の説明】
【００６１】
１    人工芝積層体
２    人工芝
３    織物
４    シーリング部
１０  基盤
【図１】
0006588856.tif 000003
【図２】
0006588856.tif 000004
【図３】
0006588856.tif 000005